(57)【特許請求の範囲】
【請求項１】
クロマトグラフ用カラムであって、入口、出口、分析要素、および１つまたは複数の保持要素を備え、前記１つまたは複数の保持要素が、前記入口の端部または／および前記出口の端部に縦軸に沿って互いに隣接して配置され、前記分析要素が、前記分析要素内に画定される管腔域内に配設される固定相を有し、前記保持要素が、保持要素内に画定される管腔域を有し、前記保持要素が、前記分析要素の前記管腔域と位置合わせされ、被分析物が、前記保持要素と分析要素との間を移動し、前記保持要素および分析要素を通り抜けることができ、各前記保持要素が、残る前記分析要素から取り外されることができるカラム。
【請求項２】
前記分析要素が、前記入口に隣接して配設される保持要素を有する請求項１に記載のカラム。
【請求項３】
前記分析要素が、前記入口の端部で縦軸に沿って互いに隣接して配設される複数の保持要素を有する請求項２に記載のカラム。
【請求項４】
前記分析要素が、前記入口の端部で縦軸に沿って互いに隣接して配設される１つまたは複数の保持要素と、前記出口の端部で縦軸に沿って互いに隣接して配設される１つまたは複数の保持要素とを有する請求項１に記載のカラム。
【請求項５】
前記分析要素が、約１ｃｍから約２０ｃｍの範囲の長さの縦軸を有する請求項１に記載のカラム。
【請求項６】
前記分析要素が、１００μｍの内側直径および３６０μｍの外側直径の管腔寸法を有する請求項１に記載のカラム。
【請求項７】
前記１つまたは複数の保持要素の長さが、前記縦軸に沿って約０．５ｃｍから約２５ｃｍの範囲であることができる請求項１に記載のカラム。
【請求項８】
前記１つまたは複数の保持要素が、前記分析要素の管腔域よりも直径が小さい管腔域を有する請求項１に記載のカラム。
【請求項９】
前記１つまたは複数の保持要素を、前記分析要素に固定する手段をさらに備える請求項１に記載のカラム。
【請求項１０】
前記固定する手段が接着剤からなる請求項９に記載のカラム。
【請求項１１】
前記接着剤がＰＤＭＳエラストマである請求項１０に記載のカラム。
【請求項１２】
１つ以上の被分析物を含む試料を分離する方法であって、
前記試料を適切な移動相と混合することと、
前記試料を、縦軸に沿って構成される、入口、出口、分析要素、および１つ以上の保持要素を有するクロマトグラフ用カラムに導入し、前記分析要素が、前記分析要素内に画定される管腔域内に配設される固定相を有し、被分析物が、前記保持要素と分析要素との間を移動し、前記保持要素および分析要素を通り抜けることができるように、前記保持要素が、前記保持要素内に画定される管腔域を有し、前記保持要素が、前記分析要素の前記管腔域と位置合わせされることと、
前記被分析物を、前記分析要素内に配設された前記固定相によって分離することと、および、
適切な移動相を使用して、前記被分析物を前記固定相から溶離することとを含む方法。
【請求項１３】
クロマトグラフ用カラムを作る方法であって、
入口端部、出口端部、および内部に配設された固定相を有する第１キャピラリを獲得することと、
前記第１キャピラリよりも小さな直径の保持要素を、前記第１キャピラリの前記出口端部に装着し、かつ前記第１キャピラリよりも小さな直径の１つ以上の保持要素を、前記第１キャピラリの前記入口端部に装着することとを含み、前記１つ以上の保持要素が、前記入口端部で縦軸に沿って互いに隣接して配設され、前記保持要素のそれぞれの管腔が、連続する管腔域を形成するために前記入口端部で位置合わせされ、前記保持要素それぞれが、前記第１キャピラリから取り外されることができ、方法がさらに、
前記保持要素それぞれを、接着剤を使用することによって定位置に固定することを含む方法。
【請求項１４】
前記１つ以上の保持要素が、前記第１キャピラリに沿ってまたは前記第１キャピラリ内で隣接して配置される請求項１３に記載の方法。
【発明の詳細な説明】
【技術分野】
【０００１】
本出願は、２００３年２月４日出願の、米国特許仮出願第６０／４４４，７４９号の優先権を主張し、参照によりその内容の全てを明確に本明細書の一部とする。
【０００２】
本発明は、一般にクロマトグラフ用カラムに関し、特に中に配設される１つまたは複数の保持デバイスを有するカラムに関する。
【背景技術】
【０００３】
試料中の被分析物を分離するのに使用する一般的な方法は、液体クロマトグラフである。液体クロマトグラフは、特定のクロマトグラフ用カラムおよび１つまたは複数の移動層を利用するが、後者は、カラムを釣り合わせると共にそこから被分析物を溶離するのに使用される。クロマトグラフ用カラムは、均質試料または異成分試料の中に含まれる被分析物の分離、純正化、および観察を行うのに使用される。カラムは、試料の被分析物と相互作用することのできる化学的環境をもたらす（「固定相」とも呼ばれる）吸着材料で包装される。一般的に吸着材料は、特定の化学的性質を有する官能基を含む。例えば逆相カラムは、固定相を有し、これが１つまたは複数の疎水基を備えた分子を含む。これらの疎水基、例えばＣ１８炭化水素鎖は、疎水的相互作用によって他の分子と相互作用する。この疎水的相互作用を、有機体移動相を使用して中断することができ、そのようにして固定相から様々な被分析物を溶離する。
【０００４】
本明細書で「従来型カラム」と呼ぶ最も一般的に使用されているクロマトグラフ用カラムは、吸着剤が中に包装されたカラムチューブと、入口端部品および出口端部品とから成り、それらの端部品は、流体流れへの接続をし易くし、カラムチューブ自体の中に吸着床を保つように設計されたフィルタを含む。これらのフィルタはカラムチューブの各端面それぞれに配設される。
【０００５】
液体クロマトグラフ用カラムのサイズは、小さなキャピラリカラムを含む所望の用途に応じて様々であることができる。キャピラリカラムは、（濃度に関して）比較的小さな試料サイズが検査される時、特に有利である。キャピラリカラムを使用することでみられる他の利点は、他のカラムまたは器具とのそれらの接続が小さく、それによって最小限度の試料損失を達成し、より大きな効率のクロマトグラフ分離を獲得することである。
【０００６】
試料の濃縮を達成するために、クロマトグラフで使用するための保持フリットが開発されてきた。しかし今日までのところ、ほとんどの保持フリットは、カートリッジ型のフォーマットである。というのは、それらの寸法が小さいことにより、望ましくないピーク分散を招く比較的大きな死空間と共に使用するのが困難となるからである。
【０００７】
したがって、固定相の表面積を最大にするために、比較的大きな内側直径を有するキャピラリ用保持フリットを有すると同時に、それらの流体接続が、それらの直径よりも小さいことが望ましい。さらにキャピラリカラム内に配置される保持フリットを有し、それによって流体転送の力を最小限にし、分離の効率化を達成することが望ましい。
【発明の開示】
【発明が解決しようとする課題】
【０００８】
本発明は、キャピラリカラム内のクロマトグラフ効率の増大を、その中に配設される保持フリットを利用することによって行う装置および方法の両方に関する。保持フリットを分析用キャピラリカラム内に配設することによって、空隙容量は著しく最小化される。本明細書で述べるカラムおよび方法は、より大きなクロマトグラフ効率をもたらす簡易化分析用キャピラリおよび保持フリット装置を作り出す。さらに、本発明のカラムは、現場で（ｉｎ  ｓｉｔｕ）流体接続をし易くすることと共に、転送直径を縮小することによってクロマトグラフの忠実性を維持する。
【課題を解決するための手段】
【０００９】
本発明のキャピラリカラムは、分析用キャピラリカラム内のキャピラリ保持フリットを備える。この実施形態では、固定材料から成る分析用キャピラリカラムは、約７５μｍから約１５０μｍの範囲の内側直径を有し、約２０μｍから約１０μｍの範囲の内側直径を有するキャピラリ保持フリットを受け取る。本発明の一態様では、ポリ（ジメチルシロキサン）などの接着剤様の重合体物質が、分析用キャピラリカラムの表面とキャピラリ保持フリットの外側表面の間に配設される。この接着剤様の物質は、密閉剤の働きをする。
【００１０】
この発明の一実施形態では、単一の保持フリットが分析用キャピラリカラム内に配設される。この実施形態の一態様では、キャピラリ保持フリットは、分析用キャピラリカラムの入口内に配設される。この実施形態の代替的態様では、保持フリットは、分析用キャピラリの出口内に配設される。
【００１１】
本発明の他の実施形態では、分析用キャピラリカラムは、複数の保持フリットを備える。この実施形態の一態様では、第１保持フリットが、分析用カラムの入口内に配設され、第２保持フリットが、分析用カラムの出口内に配設される。この実施形態のさらに他の態様は、分析用カラムの入口に隣接して配設される複数の保持フリットを採用する。
【００１２】
一実施形態では、本発明は、１つまたは複数の保持フリットを備える分析用カラムを使用することによって、試料内の複数の被分析物をクロマトグラフ的に分離する方法に関する。この実施形態では、１つまたは複数の被分析物を含む試料が、クロマトグラフシステムの中に導入される。このシステムは、１つまたは複数の保持フリットが中に配設される分析用キャピラリカラムを備える。この実施形態では、保持フリットは、一般に分析用カラムと連続する。保持フリットと分析用カラムの管腔域は位置合わせされて、被分析物の保持フリットから分析用カラムへの移動、またはその逆の移動をし易くする。一態様では、分析用カラムの保持フリットおよび固定相は、通常単一キャピラリに収容される。この実施形態では、この試料は移動相内で混合され、移動相は２つの要素、即ちクロマトグラフ用カラムの保持要素と分析要素の中を移動し、そこを通り抜ける。
【００１３】
さらに他の実施形態では、本発明は、分析要素および１つまたは複数の保持要素から成るクロマトグラフキャピラリカラムを製造する方法に関する。この実施形態の一態様では、キャピラリ保持フリットは、分析用キャピラリ内に装着される。保持フリットは、必然的に前記分析用キャピラリよりも小さい直径を有する。保持フリットは、分析用キャピラリ内の定位置に固定される。保持フリットは、ＰＤＭＳなどの接着剤様重合体物質を使用して定位置に保たれる。この接着剤様重合体物質は、保持フリットが分析用キャピラリ内に配設される領域内で、保持フリットの外側表面と分析用キャピラリの内側表面の間に配設される。内側保持フリットは、固定相領域に隣接する分析用キャピラリ内に配設することができる。この固定相は、任意の市販の固定相、または特別に製造された固定相であることができる。
【発明を実施するための最良の形態】
【００１４】
本発明は、１つまたは複数の保持フリットを使用することによって、キャピラリカラム内のクロマトグラフ効果の増大を達成する装置および方法の両方に関する。保持フリットが、分析用キャピラリカラム内に配設される。保持フリットを分析用キャピラリカラム内に配設し、それによって連続カラムを形成することにより、いくつかの利点が生まれるが、例えば、空隙容量が著しく最小化されて、より大きなクロマトグラフ効率が促進される。本明細書で述べるカラムおよび方法は、より大きなクロマトグラフ効率をもたらす簡易化分析保持フリットを作り出す。さらに、本発明のカラムは、転送直径を縮小すると共に、自然位で流体接続をし易くすることによってクロマトグラフの忠実性を維持する。
【００１５】
本発明は、２つの識別可能な要素を有する分析用カラムに関する。そうした要素の一方は保持フリットである。この保持フリットは、分析要素内に、またはそれに隣接して配設されるキャピラリである。分析要素は、キャピラリカラムの、固定相を備える部分である。
【００１６】
図１は、本発明の一実施形態を表す。この図では、入口３と出口５が任意に頂部と底部に位置決めされているが、この位置決めは、単に読者の都合に合わせたものである。しかし、入口３と出口５は典型的なクロマトグラフ要素であって、それぞれが、クロマトグラフシステムの他方要素への流体接続を行うことができるようになる。動作では、１つまたは複数の被分析物が入口３でキャピラリカラム１に進入する。この実施形態では、入口３は第１保持フリット（または要素）７を備える。フリットの内側直径は、約１０μｍから約２０μｍの範囲であることができ、外側直径は、約９０μｍから約１５０μｍの範囲であることができる。一態様では、この第１保持フリット７の管腔寸法は、２０μｍ×９０μｍである。管腔寸法は、カラムに応じて変化することができるが、分析要素９よりも小さい。フリットの縦軸（Ｌａ）に沿った長さは、約０．５ｃｍから約２５ｃｍの範囲であることができる。試料は、第１保持要素７の管腔空間１１を通過し、固定相１３を含む分析要素９内に移動する。分析要素９の管腔寸法の内側直径は、約１００μｍから約１５０μｍの範囲であることができ、外側直径は、約３６０μｍから約７２０μｍの範囲であることができる。例えば、分析要素の寸法は、１００μｍ×３６０μｍであることができる。分析要素９の縦軸（Ｌａ）の寸法は、約１ｃｍから約２０ｃｍの範囲であることができ、典型的な範囲であるが、より長い床を作製することもできる。分析要素９の固定相は、任意の市販の固定相から構成することができ、あるいは、特定目的のために特別に製造された固定相から構成することもできる。しかし、試料に含まれた被分析物が、固定相１３の化学基と特有の相互作用を行うのは、この分析要素９（特に固定相１３）内である。
【００１７】
図１によって表される実施形態では、分析要素９を出る試料は、キャピラリカラム１の出口位置５に配設された第２保持要素１５に進入する。第１保持要素７の場合と同様に、第２保持要素１５の管腔域１７の寸法は、分析要素９の寸法よりも小さい。第１および／または第２保持要素７、１５の保持要素の管腔寸法は、内側直径で、約１０μｍから約５０μｍの範囲であることができる。しかし一般的には、これらの寸法は、分析要素９の管腔寸法よりも小さい。試料の被分析物は、出口５から第２保持要素１５を出る。ここで被分析物が、さらなるプロセスまたは検出のために、キャピラリカラム１と流体接続する器具に進入することも考えられる。そのような器具の例には、以下に限らないが、質量分析計、結合解析器具、ＮＭＲ器具、および紫外線もしくは蛍光検出器などの検出器が含まれる。
【００１８】
本実施形態では、保持要素７、１５は、連続した管腔域を形成するように、それぞれの管腔が位置合わせされるような形で、分析要素９に隣接して配設される。この点で、管腔域１１および１７が固定相１３と位置合わせされるように、保持要素７、１５を分析要素９に並置することによって、忠実性が失われることはない。このような構成に付随して、いくつかの利点があるが、例えば、（１つまたは複数の）保持要素７、１５と分析要素９は連続した構造内にあるため、それらの間には空隙容量が形成されない。その結果、従来型のカラムと比較して、より効率的なクロマトグラフ分離を実施することができる。この設計によって、フリットを作製するために焼結する必要がなくなり、したがってキャピラリカラムの端部はもはや極めて脆弱なものではなくなり、即ちカラムのデザインは、起伏があり、使用しやすい。
【００１９】
（図１の場合と同様）１つまたは複数の保持要素が、キャピラリ２１表面内に固定して配設される。入口保持要素７および出口保持要素１５のそれぞれの外側表面２３ａ、２３ｂと、分析用カラムのキャピラリ２１の内側表面との間に配設されるのは、接着剤のように作用する重合体物質である。この接着剤様物質は、保持要素の外側表面２３ａ、２３ｂを、分析用カラムのキャピラリ２１の内側表面に密閉する。図１を参照されたい。本発明で使用することのできる適切な接着剤様物質の例は、重合体（ジメチルシロキサン）または「ＰＤＭＳ」であることができる。保持要素を分析用キャピラリカラムに密閉するのに使用することのできる他の接着剤様重合体物質には、以下に限らないが、エポキシ、樹脂、および粘着剤が含まれる。
【００２０】
製造工程中、１つまたは複数の保持要素が分析用カラム内に配設される。ＰＤＭＳのような接着剤様物質が、２つのキャピラリ（即ち保持用キャピラリおよび分析用キャピラリ）の間、具体的には保持要素キャピラリの外側表面と、分析用キャピラリの内側表面との間に配設される。この２つのキャピラリの溶融を達成するために、熱を加えることができる。凡そ室温（２５℃まで）から約１１０℃の範囲の温度を用いることができる。分析用キャピラリ内に配設される保持用キャピラリの構成は、低い熱量をもたらす。カラムの加熱がし易くされて、温度が、分離を通じて一定の温度を保持し、維持する助けとなる。例えば、蛋白質は一般的には低温で捕捉され、高温で溶出される。（保持用および分析用の両方の）個々のキャピラリの製造は、当業者に知られている方法によって実施することができる。
【００２１】
本発明のキャピラリカラム１の長さは、約３ｃｍから２５ｃｍの範囲であることができる。さらにキャピラリカラムの長さに応じて、保持要素の長さは、約０．５ｃｍから約２５ｃｍの範囲であることができる。さらに、分析要素の長さは約１ｃｍから約２０ｃｍの範囲であることができる。
【００２２】
キャピラリ要素は、キャピラリカラムを作り出すのに一般的に使用される任意の物質から構成することができる。これらの物質には、以下に限らないが、溶融シリカ、ステンレス鋼、または高分子化合物が含まれる。一実施形態では、幾分かの軟性を保持するが、クロマトグラフ用カラムとして作用するのに充分な強度も保持する化合物が使用される。他の実施形態では、第２キャピラリおよび第３キャピラリは、試料、固定相、および移動相に対して非反応性または不活性である。
【００２３】
本発明の一実施形態では、複数の保持要素が分析用キャピラリに沿ってまたはその中に隣接して配設される。これらの保持要素は、キャピラリカラム装置全体から容易に取り外すことができるように設計される。例えば保持要素を、保持用カラム装置からスナップ式に外すこともできる。保持要素が材料によって閉塞される場合、このようにそれをカラム装置から簡単に取り外すことができる。保持要素の管腔寸法は、固定相を含む分析要素のそれよりも小さい。隣接する保持要素同士の接合は、クロマトグラフシステムの他の部分との流体接続と、保持要素の相互もしくは分析要素との流体接続とを損ねずに、溶融シリカなどの材料を快適にスナップ式に嵌め、または（材料をやすりで削り取るなど）当技術で知られている手段によって分離することができるようなものである。この実施形態では、これら複数の保持要素を使用して、試料マトリクス内に含まれる混入物質を収集することによって、分析用カラムを保存することができる。
【００２４】
本発明の他の実施形態は、１つまたは複数の保持要素を備えるキャピラリカラムを使用することによって、被分析物を含む試料をクロマトグラフ的に分離するプロセスに関する。この実施形態では、図１で表すように、キャピラリカラムは１つまたは複数の保持要素を有することができる。被分析物の試料が、適切な条件で、圧力下の移動相を使用するキャピラリカラム内に導入される。この移動相は、被分析物をキャピラリカラム内に、またそこを通して搬送する。図１に戻ると、試料は入口３からキャピラリカラム１に進入する。入口位置３に配設されるのが、第１保持要素７である。試料の被分析物は保持要素７に進入し、そこで濃縮され、固定相１３が存在する分析要素９に進入する。（保持要素と分析要素の接合部を図２で見ることができる。）上述のように、入口の付近で位置合わせされた複数の保持要素が存在することが可能である。これらのカラムが、例えば保護カラムである場合、このようなことがあり得る。しかし、被分析物は固定相１３に進入し、そこでクロマトグラフの吸着を受ける。使用するキャピラリカラムに応じて、分析カラムから出る被分析物は、（図１に表すような）他の保持要素に進入し、検出器などの他の分析器具に進入することができ、あるいはおそらく収集容器もしくは廃棄容器に進入することによってクロマトグラフシステムを出ることができる。
【００２５】
以下の実施例は、本発明の一実施形態を例証するためのものであり、いかなる形でも本発明の範囲を限定するものではない。
【実施例１】
【００２６】
実施例１：市販のトラッピングカラムの設計の、クロマトグラフ分離に対する影響を図３に示す。図３のクロマトグラフＡは、（Ｇｌｙ−Ｔｙｒ、Ｖａｌ−Ｔｙｒ−Ｖａｌ、メチオニンエンケファリン、ロイシンエンケファリン、およびアンギオテンシンＩＩから構成される）シグマペプチド標準Ｈ２０１６を、標準保持フリットで保持した後の分離を示す。５−３５％Ｂ（ギ酸を０．１％含むアセトニトリル）を３０分間にわたって使用することによって、ペプチド混合物の勾配溶離が達成された。移動相Ａは、アセトニトリルと水２：９８の混合物（ギ酸０．１％）から構成された。検出は、マイクロマスＱ−Ｔｏｆ２質量分析計によって行われた。ピーク部が広く、尾を引いている部分が大きいことが注目される。トラッピングカラムが一旦取り外されると、クロマトグラフのピーク形状は劇的に改善し、（図３Ｂで表すように）予想通りとなる。
【実施例２】
【００２７】
実施例２：図４Ｂは、シグマペプチド標準を使用して、トラッピングカラムなしの場合（図４Ａ）、および市販のＷａｔｅｒｓ３５０μｍ×５ｍｍ（ＳｙｍｍｅｔｒｙＣ１８、１５μｍ）Ｏｐｔｉ−ｐａｋ（商標）のトラッピングカラム（図４Ｃ）と比較して見た、トラッピングカラム（床長さ２０ｍｍＷａｔｅｒｓ５．０μｍＳｙｍｍｅｔｒｙ（商標）Ｃ１８）として動作する本発明の性能を示す。５−３５％Ｂ（ギ酸を０．１％含むアセトニトリル）を３０分間にわたって使用することによって、ペプチド混合物の勾配溶離が達成された。移動相Ａは、アセトニトリルと水２：９８の混合物（ギ酸０．１％）から構成された。検出は、マイクロマスＱ−Ｔｏｆ２質量分析計によって行われた。本発明で達成されたより優れたピーク形状とは対照的に、Ｏｐｔｉ−ｐａｋ（商標）カラムが使用された時、クロマトグラフのピークの形状は、大幅に損なわれることが明らかである。
【実施例３】
【００２８】
実施例３：本発明の性能を評価するにあたり、２つのアセスメントが行われた。図５Ａは、保持の実験を実施せずに、エノラーゼ消化物を、インラインのトラッピングカラムおよび分析用カラムを通して直接溶離した典型的クロマトグラムを示す。この実験計画のために、長さ２０ｍｍの、Ｗａｔｅｒｓ５．０μｍＳｙｍｍｅｔｒｙ（商標）Ｃ１８から構成される保持相が使用され、長さ１００ｍｍの、Ｗａｔｅｒｓ３．５μｍＳｙｍｍｅｔｒｙＣ１８から構成される分析相が用いられた。エノラーゼ消化物の勾配溶離が、３〜５５％Ｂから成るプログラム化された勾配（トリフルオロ酢酸を０．１％含むアセトニトリル）を３０分使用して実施された。溶離剤Ａは、トリフルオロ酢酸を０．１％含む水から成る。検出は、２１０ｎｍの紫外線で行われた。このクロマトグラムから、優れたピーク形状およびクロマトグラフ分解が観察される。一般的な保持実験では、消化物は、オフラインで保持フリットに載せられ、続いて保持フリットから分析カラムに溶離される。図５Ｂは、上述の実験についてのクロマトグラフの結果である。ほんの僅かの分離損失しか観察されない。
【実施例４】
【００２９】
実施例４：固定相としての、床長さ１０ｃｍの、Ｗａｔｅｒｓ３．５μｍＳｙｍｍｅｔｒｙＣ１８の本発明の分析用ナノカラムフォーマットの性能評価が、エノラーゼ消化物を使用して行われた。エノラーゼ消化物の勾配溶離が、３〜５５％Ｂから成るプログラム化された勾配（トリフルオロ酢酸を０．１％含むアセトニトリル）を３０分使用して実施された。溶離剤Ａは、トリフルオロ酢酸を０．１％含む水から成る。検出は、２１０ｎｍの紫外線で行われた。優れたクロマトグラフ分解およびピーク形状が本発明で達成される。ピーク幅はそれらの応用例と比較可能である。
【００３０】
当然ながら、当業者は、上述の実施形態に基づいて本発明の他の特色および利点を認識するであろう。したがって、本発明は、添付請求項による指示以外には、以上に特に示し、述べたものに限定されない。
【図面の簡単な説明】
【００３１】
【図１】１つのキャピラリカラム内に２つの保持フリットがある、本発明の一実施形態を表す図である。
【図２】クロマトグラフキャピラリカラムの固定相要素に隣接する保持フリットのデジタル画像である。
【図３Ａ】従来型のトラッピングカラムの効果を示すクロマトグラムを表す図である。
【図３Ｂ】従来型のトラッピングカラムの効果を示すクロマトグラムを表す図である。
【図４Ａ】本発明の保持フリットを備えたトラッピングカラムを使用するクロマトグラムを表す図である。
【図４Ｂ】本発明の保持フリットを備えたトラッピングカラムを使用するクロマトグラムを表す図である。
【図４Ｃ】本発明の保持フリットを備えたトラッピングカラムを使用するクロマトグラムを表す図である。
【図５Ａ】本発明の保持フリットを備えた分析用トラッピングカラムを使用するクロマトグラムを表す図である。
【図５Ｂ】本発明の保持フリットを備えた分析用トラッピングカラムを使用するクロマトグラムを表す図である。
【図６】本発明の保持フリットを備えた分析用カラムを使用するクロマトグラムを表す図である。
【図１】
0005114054.tif 000002
【図２】
0005114054.tif 000003
【図３Ａ】
0005114054.tif 000004
【図３Ｂ】
0005114054.tif 000005
【図４Ａ】
0005114054.tif 000006
【図４Ｂ】
0005114054.tif 000007
【図４Ｃ】
0005114054.tif 000008
【図５Ａ】
0005114054.tif 000009
【図５Ｂ】
0005114054.tif 000010
【図６】
0005114054.tif 000011